(57)【要約】【課題】発熱部品冷却のための通風を実現し、また侵入した冷媒の濃度を低下させること。【解決手段】電装品箱内から外部に通じる空気流通路の開口の隙間を所定の幅以下に閉じるように、空気流通路にシール材を配置する。【選択図】図４
2015031463.tif 000002
【特許請求の範囲】
【請求項１】
電装品箱を備えた空気調和機の室内機において、
前記電装品箱内から外部に通じる空気流通路の開口の隙間を所定の幅以下に閉じるように、前記空気流通路にシール材を配置したことを特徴とする空気調和機の室内機。
【請求項２】
請求項１に記載の空気調和機の室内機において、
前記電装品箱内から外部に通じる空気流通路の前記開口は、前記電装品箱から引き出される配線をガイドする配線ガイド部と前記電装品箱を閉じる電装品箱シールド蓋に形成された配線引出部により構成され、前記シール材としての第１のシール材が前記電装品箱シールド蓋の前記配線引出部の近傍に貼付されていることを特徴とする空気調和機の室内機。
【請求項３】
請求項１に記載の空気調和機の室内機において、
前記電装品箱内から外部に通じる空気流通路の前記開口は、前記電装品箱の上面を閉じる配線蓋と室内機の内部を覆う前面パネルの側板とで構成され、前記シール材としての第２のシール材が前記前面パネルの前記側板の内側で且つ前記配線蓋の側面に対面する位置に貼付されていることを特徴とする空気調和機の室内機。
【請求項４】
請求項１、２又は３に記載の空気調和機の室内機において、
前記シール材で一部が閉じられた前記空気流通路の前記開口の隙間の幅は、３ｍｍ以下であることを特徴とする空気調和機の室内機。
【請求項５】
請求項３に記載の空気調和機の室内機において、
前記電装品箱の上面を閉じる配線蓋の裏面に第３のシール材を貼付してなり、前記配線蓋により前記電装品箱の上面を閉じることで前記第３のシール材が前記電装品箱内のケーブル接続用の端子台に圧接されることを特徴とする空気調和機の室内機。
【発明の詳細な説明】
【技術分野】
【０００１】
本発明は、電装品箱を備えた空気調和機の室内機に関する。
【背景技術】
【０００２】
空気調和機では、可燃性の高い冷媒を使用する場合、発火源となり得る電気部品が多数組み込まれている室内機の電装品箱にその冷媒が侵入し、所定値を超える濃度になると、火災を引き起こすおそれがある。
【０００３】
このような火災の発生を防止するには、冷媒が電装品箱内に侵入しないようにすればよく、このためには電装品箱を密閉構造にすればよいが、電装品箱内の電気部品には発熱する部品が多数あり、通風させる必要がある。
【０００４】
そこで従来では、特許文献１に記載のように、電装品箱から外部に通じる空気流通路を形成して、電装品箱内に冷媒が侵入したときは、その空気流通路を経由して冷媒を外部に放出できるようにして、電装品箱内に残留する冷媒の濃度を所定値以下にすることが行われている。
【先行技術文献】
【特許文献】
【０００５】
【特許文献１】特開平１１−０９４２９１号公報
【発明の概要】
【発明が解決しようとする課題】
【０００６】
しかしながら、特許文献１の構成では、内部に侵入した冷媒が電装品箱の中に残る可能性があり、状況によっては、その冷媒濃度が爆発する可能性のある濃度になることがある。
【０００７】
本発明の目的は、発熱部品冷却のための電装品箱内の通風を実現でき、また電装品箱内の冷媒の残留濃度の上昇を防ぐことができるようにした空気調和機の室内機を提供することである。
【課題を解決するための手段】
【０００８】
上記目的を達成するために、請求項１にかかる発明は、電装品箱を備えた空気調和機の室内機において、前記電装品箱内から外部に通じる空気流通路の開口の隙間を所定の幅以下に閉じるように、前記空気流通路にシール材を配置したことを特徴とする。
請求項２にかかる発明は、請求項１に記載の空気調和機の室内機において、前記電装品箱内から外部に通じる空気流通路の前記開口は、前記電装品箱から引き出される配線をガイドする配線ガイド部と前記電装品箱を閉じる電装品箱シールド蓋に形成された配線引出部により構成され、前記シール材としての第１のシール材が前記電装品箱シールド蓋の前記配線引出部の近傍に貼付されていることを特徴とする。
請求項３にかかる発明は、請求項１に記載の空気調和機の室内機において、前記電装品箱内から外部に通じる空気流通路の前記開口は、前記電装品箱の上面を閉じる配線蓋と室内機の内部を覆う前面パネルの側板とで構成され、前記シール材としての第２のシール材が前記前面パネルの前記側板の内側で且つ前記配線蓋の側面に対面する位置に貼付されていることを特徴とする。
請求項４にかかる発明は、請求項１、２又は３に記載の空気調和機の室内機において、前記シール材で一部が閉じられた前記空気流通路の前記開口の隙間の幅は、３ｍｍ以下であることを特徴とする。
請求項５にかかる発明は、請求項３に記載の空気調和機の室内機において、前記電装品箱の上面を閉じる配線蓋の裏面に第３のシール材を貼付してなり、前記配線蓋により前記電装品箱の上面を閉じることで前記第３のシール材が前記電装品箱内のケーブル接続用の端子台に圧接されることを特徴とする。
【発明の効果】
【０００９】
本発明によれば、電装品箱内から外部に通じる空気流通路の開口の隙間を所定の幅以下に閉じるように、前記空気流通路にシール材を配置したので、発熱部品冷却のための通風の確保および電装品箱内に侵入する冷媒の残留濃度の上昇を防ぐことことができる。
【図面の簡単な説明】
【００１０】
【図１】本発明の実施例の空気調和機の室内機の前面パネルの斜視図である。
【図２】本実施例の電装品箱と表示器ケースと配線蓋と電装品箱シールド蓋の組み立て説明図である。
【図３】本実施例の配線蓋の裏面の斜視図である。
【図４】本実施例の電装品箱シールド蓋の斜視図である。
【図５】本実施例の電装品箱と表示器ケースと配線蓋と電装品箱シールド蓋を組み立てた右側面図である。
【図６】本実施例の電装品箱と表示器ケースと配線蓋と電装品箱シールド蓋を組み立てた平面図である。
【図７】図６のＡ-Ａ断面図である。
【図８】図６のＢ−Ｂ断面図である。
【図９】配線蓋の右側と前面パネルの右側面との間の空間の説明図である。
【発明を実施するための形態】
【００１１】
図１に本発明の１つの実施例の空気調和機の室内機の熱交換器や電装品箱等の機構部分の外側を覆う前面パネル１０を示す。この前面パネル１０は、前面板１１と下面板１２と斜面板１３と左側面板１４と右側面板１５を備える。前面板１１には熱交換器露出穴１１ａや保守用穴１１ｂが形成され、その前面板１１と下面板１２との間の斜面板１３には風向板やディフューザが露出する開口１３ａや表示/受光/人検知配置部１３ｂが形成されている。そして、その右側板１５の内壁における保守用穴１１ｂから見える位置には、所定の厚みで断熱作用をもつ柔軟なシール材（例えば、発泡ポリエチレン等）１６が貼付されている。
【００１２】
図２に電装品箱２０、表示器ケース３０、配線蓋４０、および電装品箱シールド蓋５０の分解斜視図を示す。電装品箱２０は、上部に電装品箱２０に給電する電源ケーブルの先端を接続する端子台２１を備え、右側に開口２２が形成され、その開口２２の左側（図２では手前側）には内部から引き出される配線（図示せず）をガイドする配線ガイド部２３が形成されている。開口２２内には複数の電気部品が配置されるがここでは図示を省略している。そして、電装品箱２０の端子台２１の前面（手前）の表示器ケース取付部（図示せず）には、前記した前面パネル１０の表示/受光/人検知配置部１３ｂの裏面に先端部分が臨むように表示器ケース３０が着脱可能に取り付けられ、端子台２１の上方は着脱自在の配線蓋４０によって覆われるようになっている。また、電装品箱２０の右側面の開口２２は電磁シールド材で形成された電装品箱シールド蓋５０で閉じられるようになっている。
【００１３】
表示器ケース３０は、前面パネル１０の表示/受光/人検知配置部１３ｂに臨む先端部分に、電源オン／オフや運転状態等を表示する表示素子を取り付ける表示部取付部３１とリモコン信号を受光する受光素子を取り付ける受光部取付部３２が横並びで設けられ、受光部取付部３２の下方には人検知センサ（図示せず）を取り付けるための人検知センサ取付部３３が設けられている。３４は電源ケーブルの差込穴、３５は電源ケーブルの引出穴（斜め表示）である。
【００１４】
配線蓋４０は、図１に示した前面パネル１０の保守用穴１１ｂを閉じるほぼ平面形状であり、図３に示すように、裏側に、電装品箱２０の端子台２１の上面に押し当てられる大きさで、断熱作用をもつ所定の厚さの柔軟なシール材（例えば、発泡ポリエチレン等）４１が貼付されている。
【００１５】
電装品箱シールド蓋５０は、図４に示すように、電装品箱２０の右側面の開口２２を右側から覆う下側片５１と、電装品箱２０の奥側の上方を覆う上面片５２と、電装品箱２０の上部から表示器ケース３０に亘る右側面を覆う上側片５３と、電装品箱２０の開口２２の奥壁右端外側と前面壁左端外側を覆う折曲片５４，５５とを備え、一方の折曲片５４の上部は配線引出部５６となるように切り欠かれている。そして、下側片５１における配線引出部５６の近傍に、断熱作用をもつ所定の厚さの柔軟なシール材（例えば、発泡ポリエチレン等）５７が貼付されている。５１ａ，５３ａ，５３ｂは補強のためのリブを形成するために内側に凹ました凹部である。
【００１６】
さて、組み立てに当たっては、電装品箱２０は熱交換器およびその周辺の機構部に取り付けられているので、まず、この電装品箱２０に対して表示器ケース３０を取り付ける。そして、この表示器ケース３０の下側の差込穴３４に電源ケーブルを挿通し、その電源ケーブルの先端を上側の引出穴３５から引き出して電装品箱２０の端子台２１に接続する。次に、その電装品箱２０の配線ガイド部２３から配線を手前側に引き出しておいてから、開口２２を電装品箱シールド蓋５０によって閉じ、さらに電装品箱２０を含む機構部全体に前面パネル１０をかぶせ、保守用穴１１ｂを配線蓋４０で覆う。配線蓋４０は前面パネル１０の一部となる。
【００１７】
電装品箱２０の右側面の開口２２を電装品箱シールド蓋５０によって閉じたときは、電装品箱２０の配線ガイド部２３から引き出された配線（図示せず）が、電装品箱シールド蓋５０の配線引出部５６を経由して電装品箱２０の外側に引き出されるが、この配線の一部は電装品箱シールド蓋５０の配線引出部５６の奥側に貼付された柔軟なシール材５７によって電装品箱２０の開口２２の内部に押し込められる。このとき柔軟なシール材５７は配線引出部５６に通じる空気流通路の一部を閉じることになる（図６のＢ−Ｂ断面を示す図８を参照）。この空気流通路は通風用であるので、完全には閉じられない。
【００１８】
ここで、配線引出部５６の部分の空気流通路の開口の大きさが、柔軟なシール材５７によってある程度以下に制限されるようにすれば、冷媒配管中から冷媒が漏れ出た場合に、電装品箱２０内に侵入して電装品箱２０内に残留する冷媒の濃度を低いレベルに押さえることができる。
【００１９】
この開口の隙間は実効直径で表すことができる。実効直径Ｒは、開口の断面積をＳ、その開口の周囲長をＬとすれば、「Ｒ＝４×Ｓ／Ｌ」で求められる。そして、その実効直径を３ｍｍ以下にすれば、電装品箱２０内に侵入してそこに残留する冷媒濃度を低いレベルに抑制することができる。
【００２０】
よって、電装品箱２０と電装品箱シールド蓋５０の配線引出部５６で囲まれた空気流通路の開口については、その実効直径が３ｍｍ以下で且つ通風を妨げない０．５ｍｍ以上の範囲内に収まるように、０．５〜１．０ｍｍの範囲内が望ましく、そうなるように前記柔軟なシール材５７の大きさや貼付位置を設定すればよい。なお、実効直径は、多角形、丸形又はそれらに類似する形状の開口の隙間であれば、ほぼ幅に相当する。
【００２１】
次に、前面パネル１０を電装品箱２０等を含む機構部全体にかぶせ、配線蓋４０によって保守用穴１１ｂを閉じたときは、その配線蓋４０の右側板４２が前面パネル１０の右側板１５の内壁に貼付した柔軟なシール材１６に当面（非接触）して、前面パネル１０の右側板１５と配線蓋４０の右側板４２の間に形成される空気流通路の空間１７の一部が、柔軟なシール材１６（第１のシール材）によって閉じられることになる。よって、柔軟なシール材１６の大きさを適宜設定することにより、空間１７の開口１７ａを実効直径３ｍｍ以下で通風可能な大きさに規制することが可能となる。図９の（ａ）に空間１７を柔軟なシール材１６で閉じない例を、図９の（ｂ）に閉じた例を示した。
【００２２】
また、保守用穴１１ｂを電線蓋４０で覆ったときは、その電線蓋４０の裏面に貼付された柔軟なシール材４１（第２のシール材）が、端子台２１に当接しその端子台２１の表面形状に応じて変形して圧接されるので、その端子台２１の部分が柔軟なシール材４１によって完全に覆われた状態となる（図６のＡ−Ａ断面を示す図７を参照）。よって、冷媒配管中から電装品箱２０内に侵入して残留する冷媒の濃度を低いレベルに抑制できる。
【符号の説明】
【００２３】
１０：前面パネル、１１：正面板、１１ａ：熱交換器露出穴、１１ｂ：保守用穴、１２：下面板、１３：斜面板、１３ａ：開口、１３ｂ：表示/受光/人検知配置部、１４：左側面板、１５：右側面板、１６：柔軟なシール材、１７：空間、１７ａ：開口
２０：電装品箱、２１：端子台、２２：開口、２３：配線ガイド部
３０：表示器ケース、３１：表示部取付部３１、３２：受光部取付部、３３：人検知センサ取付部、３４：差込穴、３５：引出穴
４０：配線蓋、４１：柔軟なシール材、４２：右側板
５０：電装品箱シール蓋、５１：下測片、５１ａ：凹部、５２：上面片、５３：上側片、５３ａ，５３ｂ：凹部、５４，５５：折曲片、５６：配線引出部、５７：柔軟なシール材
【図１】
2015031463.tif 000003
【図２】
2015031463.tif 000004
【図３】
2015031463.tif 000005
【図４】
2015031463.tif 000006
【図５】
2015031463.tif 000007
【図６】
2015031463.tif 000008
【図７】
2015031463.tif 000009
【図８】
2015031463.tif 000010
【図９】
2015031463.tif 000011